(57)【要約】【課題】小型ＬＰＧ用コンロと透明容器とその製造方法により温暖化防止、地球環境破壊に貢献出来、健康上有益な、安全で、安価なエネルギーの提供、ＬＰＧ用コンロのガスの残量が分からず不便を余儀なくされ、重量を計り推定していた。【解決手段】火口をセラミックスの採用とコンロの熱の対流と伝導方法により特殊な形状を開発。熱に強い形状、材質の開発により、特殊樹脂の透明容器によりガスの残量がひと目でわかるように成った。リサイクル可能に、熔着を無くし、分解し易い構造にし、特殊樹脂を多く使用し、黒色樹脂はリサイクル樹脂を使用出来る様にした。【選択図】図１
2004044816.tif 000002
【特許請求の範囲】
【請求項１】
五徳、本体、透明ＬＰＧ用容器、外枠ボデイの４部分からなり、本体と透明ガス容器はネジにて結合され、ネジは本体と透明容器の付け、外し及び弁の開閉と、ガス管継ぎ手の機能を有する。そうして、各々容易に分解できることを特徴とするガス量表示小型コンロ。
【請求項２】
コンロ本体上部の中央部に蜂の巣状の火口を備えている。火口は巣状、円柱状のマシナブル・セラミックスで、径は３５〜４５ｍｍ、高さは９ｍｍ〜１５ｍｍ、円柱には孔が貫通し、４００〜４２０個で、２．８〜３．２平方ミリメートルに１個の大きさで、直線上に、孔の中心に直線は交わる蜂の巣、表面にはお互いに交わる浅い溝をを穿つた火口を特徴とする請求項１のガス量表示コンロ。
【請求項３】
コンロの本体は円筒の底付きで、円筒ガス調整の軸と摘みを有し、火口にガスを送るパイプと完全気化する室部とガス調節部とガス充填口が内蔵され、ガス充填口は底の外側に、口広がりの形状の口が、内側に容器接続させる雌ネジ部を有する事を特徴とする請求項２及び請求項１のガス量表示ＬＰＧコンロ。
【請求項４】
完全気化室は火口径の９０％〜８０％径で、最終部屋と混合部屋は孔つきの鉄板にて仕切られ、ガスの調節弁につながるパイプがあり、完全気化室より大きい事を特徴とする請求項１〜３のＬＰＧ表示コンロ。
【請求項５】
五徳部は円盤状で、五徳は上部に円盤に接し、中心に放射状に設置され、耳部を設け、本体を被う様固定され、且つ円盤経の５０％〜６０％径で、火口径の１．１５〜１．２５径の穴があり、本体より放熱する空間が出来る様になり、熱の放熱を一番多くする形状、火口の回りより放出すさせる五徳を有する事を特徴とする請求項１のガス量表示ＬＰＧ小型コンロ。
【請求項６】
外枠ボデイは円筒状で、上部に本体を埋め込み、安定設置する事が出来る棚が設置され、棚は円筒内面と本体が空間を得られる様に放射状で、縦方向に凸部を作り、棚と本体の底部に空間を作るために、ボデイと同心の円形の凸部を数ケ所設け、強度と放熱の効率の良い特殊構造の形状の上部と下部には透明ＬＰＧ容器を黙視出来る様に、重ね餅形状の空間と足が３ケ所になる様半円角の空間部等の合計５０％以上の空間を有し、熱の対流の一番少ない形状の下部の両面の特殊形状の外形が１４０ｍｍ〜１６０ｍｍ¢の外枠ボデイの請求項１記載の外枠ボデイ。
【請求項７】
ＬＰＧ用容器の容量は５０ｍｌ以下、ＬＰＧ重量は８ｇ〜３０ｇを特徴とするの小型コンロ用ＬＰＧ容器。
【請求項８】
ＬＰＧ容器はコンロの接続はネジにて行い、ネジは締付け接合部の外面に穿設か、又移動ノズルの軸受けの外周に設ける２種類が有る。ネジ部の中心部に円錐状のスライド式パイプの取り出し口と取り出し弁を有し、ネジはコンロとの取り付け、弁の開閉、管の継ぎ手３機能を有する事を特徴とするネジ付きＬＰＧ容器。
【請求項９】
透明ＬＰＧ容器は透明で、ガス量が明示され、容器と本体との接続はネジでされる上部にネジを有し、ネジ部の中心に、接続のパイプは円錐状の形状で、接続されることを特徴とする請求項１のガス容器。
【請求項１０】
透明ＬＰＧ容器は透明の特殊樹脂製の雄ネジ付き容器部とＬＰＧ供給部と容器部と供給部を接合させる特殊樹脂製締付け接合部と蓋から出来ている請求項７，８記載のもの。
【請求項１１】
雄ネジ付き容器部は特殊樹脂が透明で耐熱温度１１０°Ｃ以上で、最高温度での強度があれば、熱硬化性樹脂、熱可塑性樹脂又は新素材でも良い。又接合部はフェノール樹脂等で、耐熱温度１４０°ｃ以上と強度に耐える不透明又透明の材質を使用する。熔着せず、ネジ締めにて製造する請求項９、１０記載のＬＰＧ容器の製造方法。
【請求項１２】
コンロ用透明ＬＰＧ用容器は容器部と供給部と締付け接合部及び蓋の４部から成っている。締付け接合部の外側にネジが穿設された締付け接合部の材質は特殊樹脂で耐熱温度１２０°ｃ以上であれば熱硬化性樹脂又は新素材で、締付け接合部の内側の雌ネジは供給部とパッキングを介して容器部を密閉、接着、締付ける。外側の雄ネジは本体コンロに取り付け、外しする。又供給部の弁の開閉、管の継ぎ手の４機能を容器が使用不能時材質別に分解し、環境保全に、五機能を有する請求項７，８，９，１０記載の締付け接合部である。
【請求項１３】
透明ＬＰＧ容器の供給部は容器の被う口金とＬＰＧを供給する極細の孔を有る直円錐のスライド弁と樹脂製の棒から出来て、直円錐の高さは直径より長い。注入口から弁まで樹脂製棒は最小の隙間にて挿入され、容器の底面まで届き、少し曲がるを特徴とするＬＰＧ透明容器の供給部である。
【発明の詳細な説明】
【０００１】
【発明の属する技術分野】
本発明はプラスチックの製品の強度と温度に対する使用を形状および材質にて、使用分野の拡大するガス量表示のコンロとＬＰＧ容器とその製造方法。
【０００２】
【従来の技術】
従来コンロ用ＬＰＧの容器は鉄板製の熔着した容器をコンロに接続したコンロ、又はパイプを円状に着装したコンロである。（例えば登録番号第２８６３８４０号参照）
【０００３】
【発明が解決しようとする課題】
従来のＬＰＧコンロはガス量の表示がなく、使用中にガス切れ等を生じ、非常に不便を強いられていたのを簡単に解決しようとする課題。容器とコンロの接続不備のための事故防止の課題。又料理屋、旅館等ではコンロには多くアルコール固形燃料を使用され、公害の要因となり、けんこう管理上、温暖化防止の必要性からクリンエネルギの課題があった。又コスト面からも安価なエネルギーの提供が課題であった。
従来の小型ＬＰＧコンロにあってはコンロを如何に正確に作業標準どうりの製作しても、消費者の使用方法により爆発事故が発生したり、ごみ焼却時は穴を明ける等の必要の問題点。リサイクルが困難。使用時容器が鉄板のため、ＬＰＧの量の確認出来ず途中にてＬＰＧを補給する等の課題があった。
【０００４】
【課題を解決するための手段】
上記目的を達成するために、本発明のガス量表示ＬＰＧコンロにおいては五徳、外枠ボデイの形状で、熱が篭もらない形状にしたものである。蓋及び外枠はできる限り黒色とし、再生プラスチックを利用する。
【０００５】
上記形状に加えＬＰＧ容器の容量を一回最小量に限定して、コンロの熱の蓄積を防止し、且つ一番強度のある安価なプラスチック材料を開発し、形状も限定され安全性を保証出来る様に成った。
【０００６】
またリサイクルし易く、五徳、本体、ボデイ、容器と簡単に分解出来る構造に成っている。その上容器は蓋、容器部、ネジ付き蓋、ＬＰＧ供給部は全部熔着なくネジにて組み込む等は従来の技術にはない物で有る。
【０００７】
ＬＰＧ容器は電球の付け替えの要領でねじ込むだけで、ネジ本来の機能の接続とＬＰＧ供給弁の開閉の機能と加えて、ＬＰＧ供給パイプの継ぎ手の機能の三機能を持つ構造である。勿論緩めて、取り外せば、ＬＰＧ供給弁は閉じられ、パイプの継ぎ手の機能も解除される。
【０００８】
【発明の実施の形態】
発明の実施の形態を実施例にもとづき図面を参照して説明する。
図１においては１は五徳、２は本体、３は透明のＬＰＧ容器、４は外枠ボデイーである。２本体と３透明ＬＰＧ容器、即ち燃料の液化ブタンととはネジにて結合されているが、透明容器を戻せば容易に離脱し、注油弁は閉じられる。他の１は五徳と２本体は１五徳の円板の耳にてはめ込まれ、容易に分解できる状態図で、又２本体と３外枠ボデイーもボデイーの内周に入れ込まれ、ボデイーの棚にて安定し、固定され、且つ容易に分解する事が出来る図である。
【０００９】
図２は容易に本体に組込み、簡単に分解出来る五徳の図である。又外枠ボデイ
ー
【０００１５】にて説明するが、収納時五徳がボデイーの棚に放射状に切り込みがあり、ボデイーの内部に収納出来る図である。
【００１０】
図３に示される実施例では、ＬＰＧ用透明容器にＬＰＧの入っている傾視図である。従来のＬＰＧの容器は鉄板製又は鋳鋼製でオートバイの浮き子式液面計として多く登録になっているが、現実に実用化は皆なしの状態であつた。容器を透明として解決した有益な発明である。図の説明で判る様に、油面はよく見えてＬＰＧの残料を即知る事が容易となり、ＬＰＧが無くなってから入れ替えする様の手間は省かれる様になった。
【００１１】
図４，５，６はＬＰＧ用透明容器の正面図である。材質は耐熱温度１１０°ｃ以上の請求項８の雄ネジ付きの透明容器の図である。１１０°ｃの温度にて強度が安定している特殊形状の図である。
図７は図４及び図５に使用する絞付け接合部の正面図で、内側にはネジ部になって居る。図８は図６に使用する絞め付け具の正面図で、内面にネジ部と外側にもネジ部が装備されている。
【００１２】
図９は図６に使用する外側にネジのある締付け接合部の傾視図で、図８の傾視図である。請求項１２の説明の図で、ネジが内及び外側にある締付け接合部の傾視図で、中ネジは容器部と供給部の接合と外ネジはコンロに取り付け、弁の開閉、供給管と注入管の継ぎ手の４機能を有する改良型の図６の締付け接続部の説明の傾視図である。
【００１３】
図１０、図１１はコンロ用ＬＰＧ容器の分解した傾視図である。図１０は蓋４−６，締付け接続部４−４と透明容器４−２ａの傾視図である。４−４は図４，図５に使用し、又図７及び４−４ａの傾視図である。図１１は透明容器の供給部の傾視図４−７である。本発明の重要なな要件である。４−４締付け接合部は容器部と供給部とをパッキング４−７ｄを介して、口金４−７ａを接合する。口金の中心部に真円錐状で直径より高さは長く、円錐の中心にＬＰＧ供給孔が弁に接続し、円錐部がスライドする事により弁が開く、そうして円錐部をスライドさせる軸受けと外周部にはネジが成形され、本体のＬＰＧ調節部の注入口に接続さす管継ぎ手、と取り付け、と弁を開く、と透明容器と供給部を結合さす４機能を有するネジ部である。
【００１４】
図１２は本体の上部の傾視図である。円筒内に火口２−１とガス調節部２−２、火口に供給パイプを内蔵し、外周に調節摘み２−３を有する図である。図１３は裏面の傾視図で、円筒板にガス調節部に絡る注入口２−４が有る。注入口には容器を接続するネジ部と円錐の凹みを有する注入口がある。
【００１５】
図１４は外枠ボデイーの図、本体を挿入し、熱の伝導の少ない形状の説明及び五徳、本体を収納出来る構造の説明図である。３−１は本体を乗せる棚で、４っの欠部があり、欠部は収納時、五徳の挿入場所になる。又棚と棚の同周の２本の凸部３−２　４ケ所あり、１ケ所は両側のみ、ボデイーの内面には棚まで５〜７の垂直の凸部３−３が設けられ、熱の伝導を少なくする構造である。
【発明の効果】
本発明は、以上説明したように構成されているので、以下に記載されるような効果を奏する。
【００１６】
従来はアルコール固形燃料が使用されていたが、酸欠のため、炭酸ガスの排出が多く温暖化防止上又人体の健康上からも有益で、安定した炎を得られる。
【００１７】
アルコール固形燃料の五分の一の原価となり。安価なエネルギーとなる。
【００１８】
製造方法は溶着はなく、本体、五徳、容器、外枠ボデイーも組み込み構造に成っているので、リサイクルが容易にできる構造に成っている。
【００１９】
ガスはノズルを通って気化するので、圧力の低下によるドロップダウンが少なく、ガスの量が減っても一定の火力を得る。容器の取り替えは容易でガスの残量がひと目で確認出来る。容器は樹脂製なので、万一高熱を帯びた際にはガスのみ抜けるので、従来の金属製ボンベト違って、爆発の恐れがありませんので安全です。
【図面の簡単な説明】
【図１】油量表示ＬＰＧコンロとＬＰＧ透明容器の傾視図である。
【図２】五徳の傾視図である。
【図３】コンロ用の透明容器の傾視図である。
【図４】コンロ用ネジ付き透明容器部の側面図である。
【図５】コンロ用の透明容器部で、図４の形状を異なる側面図である。
【図６】口の小さい４機能の透明容器の容器部の側面図である。
【図７】図４、図５の容器部と供給部とを接合する締付け接合部の傾視図である。
【図８】図６に使用する４機能の締付け接合部の側面図である。
【図９】図８の傾視図で、内外面にネジのある締付け接合部の傾視図である。
【図１０】図３の透明ＬＰＧ容器の供給部以外の分解図の傾視図である。
【図１１】透明ＬＰＧ透明容器の供給部の分解傾視図である。
【図１２】本体上部の傾視図である。
【図１３】本体部の下部の傾視図である。
【図１４】外枠ボデイーの傾視図である。
【符号の説明】
１五徳
２本体
３外枠ボデイー
４コンロ用ＬＰＧ透明容器
【図１】
2004044816.tif 000003
【図２】
2004044816.tif 000004
【図３】
2004044816.tif 000005
【図４】
2004044816.tif 000006
【図５】
2004044816.tif 000007
【図６】
2004044816.tif 000008
【図７】
2004044816.tif 000009
【図８】
2004044816.tif 000010
【図９】
2004044816.tif 000011
【図１０】
2004044816.tif 000012
【図１１】
2004044816.tif 000013
【図１２】
2004044816.tif 000014
【図１３】
2004044816.tif 000015
【図１４】
2004044816.tif 000016